(57)【特許請求の範囲】
【請求項１】
立姿で歩行する作業者に背負われる背負式動力散粉機の吐出管に軽くて剛性に富む材質からなるパイプの基端を接続しこのパイプを上記作業者のほぼ腰の高さに保持して幼苗の上方にほぼ水平に伸長させるとともにこのパイプの下側にその長さ方向に沿って間隔を隔てて複数の噴口を穿設し、かつ、上記パイプの両側にそれぞれそのほぼ全長に亘る巾を有し、軽くてやや剛性のあるプラスチックの薄板等からなる２枚のスカートを取り付けてこれら２枚のスカートの下端を上記幼苗の近傍まで垂下させるとともにこれら２枚のスカートの間に上記各噴口の巾方向両側に位置して上下方向に伸びる複数の間仕切を介装したことを特徴とする粒状農薬の散布装置。
【請求項２】
少なくとも１の噴口を有する短管を継ぎ足すことによって所定の長さのパイプを構成したことを特徴とする請求項１記載の粒状農薬の散布装置。
【請求項３】
上記パイプの内壁下面から立ち上がる衝突板を上記噴口に近接してその下流側に設けたことを特徴とする請求項１及び２記載の粒状農薬の散布装置。
【請求項４】
上記パイプの内面にその長さ方向に沿って間隔を隔てて上記パイプ内を移動する粒状農薬を上記噴口に誘導する誘導板を突設したことを特徴とする請求項１ないし３記載の粒状農薬の散布装置。
【請求項５】
上記パイプの先端部の上壁面を先端に向かうに従って次第に下降する傾斜面とするとともに上記パイプの先端部下面に噴口を設けたことを特徴とする請求項１ないし４記載の粒状農薬の散布装置。
【請求項６】
上記パイプの両外側面にその長さ方向に間隔を隔てて多数の突起を突設し、これら突起に上記２枚のスカートの上端を係止したことを特徴とする請求項１ないし５記載の粒状農薬の散布装置。
【発明の詳細な説明】
【０００１】
【発明の属する技術分野】
本発明は粒状農薬の散布装置に関する。
【０００２】
【従来の技術及びその課題】
従来、水稲の栽培中に病虫害のおそれがある場合には、その都度、ヘリコプター等によって農薬を圃場に散布していたが、これは農薬が空中に飛散することによって環境を汚染するという不具合があった。
【０００３】
これに対処するため、水稲が幼苗の時にこれに散布しておけば、以後イモチ病等の発生を予防することができる粒状農薬が開発されたが、この粒状農薬は散布量が過多であれば水稲に多大の悪影響を及ぼし、逆に、過少であれば水稲の病気を予防できないので、主として手撒きに依り散布していたが、この方法は多大の時間及び手数を要するという問題があった。
【０００４】
【課題を解決するための手段】
本発明は上記課題を解決するために発明されたものであって、その要旨とするところは、立姿で歩行する作業者に背負われる背負式動力散粉機の吐出管に軽くて剛性に富む材質からなるパイプの基端を接続しこのパイプを上記作業者のほぼ腰の高さに保持して幼苗の上方にほぼ水平に伸長させるとともにこのパイプの下側にその長さ方向に沿って間隔を隔てて複数の噴口を穿設し、かつ、上記パイプの両側にそれぞれそのほぼ全長に亘る巾を有し、軽くてやや剛性のあるプラスチックの薄板等からなる２枚のスカートを取り付けてこれら２枚のスカートの下端を上記幼苗の近傍まで垂下させるとともにこれら２枚のスカートの間に上記各噴口の巾方向両側に位置して上下方向に伸びる複数の間仕切を介装したことを特徴とする粒状農薬の散布装置にある。
【０００６】
他の特徴とするところは、少なくとも１の噴口を有する短管を継ぎ足すことによって所定の長さのパイプを構成したことにある。
【０００７】
他の特徴とするところは、上記パイプの内壁下面から立ち上がる衝突板を上記噴口に近接してその下流側に設けたことにある。
【０００８】
他の特徴とするところは、上記パイプの内面にその長さ方向に沿って間隔を隔てて上記パイプ内を移動する粒状農薬を上記噴口に誘導する誘導板を突設したことにある。
【０００９】
他の特徴とするところは、上記パイプの先端部の上壁面を先端に向かうに従って次第に下降する傾斜面とするとともに上記パイプの先端部下面に噴口を設けたことにある。
【００１０】
他の特徴とするところは、上記パイプの両外側面にその長さ方向に間隔を隔てて多数の突起を突設し、これら突起に上記２枚のスカートの上端を係止したことにある。
【００１２】
【発明の実施の形態】
本発明の第１の実施形態が図１ないし図３に示されている。
図１に示すように、散布装置１００  はパイプ１とスカート２を具えている。
パイプ１は軽くて剛性に富む金属、プラスチック等からなり、その基端は作業者Ｍに背負われた背負式動力散粉機３の吐出管４に接続され、その先端は閉塞されている。
【００１３】
パイプ１の基部は作業者Ｍに握持され、かつ、パイプ１の長さ方向中間部は背負式動力散粉機３から伸びる紐６によって支持されている。
これによってパイプ１は育苗箱７内の幼苗８の上に立姿の作業者Ｍのほぼ腰の高さを保って幼苗８の巾とほぼ等しい長さ（例えば１．８ｍ）に亘って水平に伸びている。
【００１４】
パイプ１の下側には、図２に示すように、長さ方向に沿って間隔を隔てて複数の噴口９が穿設され、これら噴口９に近接してその下流側にはパイプ１の内壁下面から上方に立ち上がる衝突板１０が取り付けられている。
そして、これら噴口９の間隔及び大きさ並びに衝突板１０の高さはパイプ１の全長に亘って粒状農薬を均等に散布できるように選定されている。
【００１５】
スカート２は軽くてやや剛性のあるプラスチックの薄板等からなり、このスカート２はパイプ１のほぼ全長に亘る巾を有する。
そして、このスカート２の上端はパイプ１の両外側面に取り付けられ、その下端はそれぞれ幼苗８の近傍まで垂下せしめられている。
【００１６】
これら２枚のスカート２の巾方向の先端部及び基端部はその全高さに亘ってシール１１及び１２によって閉塞されている。
また、２枚のスカート２の間には各噴口９の巾方向両側に位置して上下方向に伸びる複数の間仕切１３が介装され、かくして、２枚のスカート２は互いに所定の間隔を隔てて平行するようになっている。
【００１７】
しかして、農薬を散布する場合には、図１に示すように、作業者Ｍは立姿でパイプ１を作業者Ｍのほぼ腰の高さに保持して育苗箱７内の幼苗８上に水平に差し伸べた状態で背負式動力散粉機３を運転しながら育苗箱７の間の通路５をゆっくり歩行する。
【００１８】
すると、この背負式動力散粉機３の吐出管４から粒状農薬が空気に伴われて吐出され、蛇腹１８を経てパイプ１内にその基端から流入する。
この空気及び農薬はパイプ１内をその基端から先端に向かって流れる過程で遂次複数の噴口９から流出し、その反力でパイプ１が上方に持ち上げられるので、パイプ１を容易に水平に保持できる。
【００１９】
そして、粒状農薬はパイプ１の内壁下面上を先端に向かって転動する過程で衝突板１０に遂次衝突することによって方向を変え各衝突板１０の前方の複数の噴口９から流出する。
【００２０】
噴口９から流出した空気及び粒状農薬は２枚のスカート２と隣接する間仕切１３によって限界された通路１５を通って育苗箱７内の幼苗８にその上の近接した位置から散布される。
【００２１】
かくして、作業者Ｍは背負式動力散粉機３を背負い、この背負式動力散粉機３を運転しながらパイプ１を作業者Ｍのほぼ腰の高さに保持して幼苗８上に水平に差し伸べながら立姿で通路５をゆっくり歩行することによって粒状農薬を容易、かつ、迅速に育苗箱７内の幼苗８に均等に散布できる。
【００２２】
そして、スカート２の下端は幼苗８に近接しているので、粒状農薬が風等により飛散して育苗箱７の外部に無駄に散布されるのを防止できる。
【００２３】
また、スカート２はやや剛性を有する材料からなり、しかも、２枚のスカート２の間に噴口９の両側に位置して上下方向に伸びる間仕切１３が介装されているため、風が吹いても、また、噴口９から空気が高速で噴出しても通路１５の断面形状及び面積は殆ど変化しないので、粒状農薬を風の影響を受けることなく均等に散布することができる。
【００２４】
本発明の第２の実施形態が図４に示されている。
この第２の実施形態においては、パイプ１の内面上部に長さ方向に沿って間隔を隔ててこのパイプ１内を空気に伴われて移動する粒状農薬を噴口９に誘導する複数の誘導板１９が突設されている。
【００２５】
通路５の片側には、通常、育苗箱７が７ないし８個並べられるので、パイプ１の長さは一般的に１．８  〜２．４ｍ位である。
従って、一般に市販されている通常の背負式動力散粉機３に長さ１．８ｍ〜２．４ｍ位のパイプ１を接続した場合には、パイプ１の先端部から出る粒状農薬の量が基端部からのそれより多くなる。
【００２６】
しかしながら、この第２の実施形態においては、パイプ１内上部を空気に伴われて移動する粒状農薬は誘導板１９に衝突した後、この誘導板１９に誘導されて下方に向きを変えて衝突板１０に当たり、その直前の噴口９から落下する。
【００２７】
かくして、パイプ１を一般に市販されている通常の背負式動力散粉機３に接続した場合であっても粒状農薬をパイプ１の全長に亘って均等に散布することができる。
【００２８】
なお、誘導板１９は後下方に傾斜するように突設されているが、鉛直に垂下させることができ、また、衝突板１０は図示のように前上方に傾斜するように突設することもできる。
【００２９】
更に、誘導板１９の間隔、大きさ及び形状は粒状農薬を噴口９に誘導できる限り任意に定めることができるが、図５に示す第３の実施形態のように、パイプ１の内面上部にその中心線２１の両側に交互に位置するように突設することができ、また、図示しないが、誘導板１９はパイプ１の内面の両側、両斜め上又は両斜め下に設けることができる。
【００３０】
本発明の第４の実施形態が図６に示されている。
この第４の実施形態においては、パイプ１の先端部の上壁面が先端に向かうに従って次第に下降する傾斜面２０とされ、かつ、パイプ１の先端部下面、即ち、傾斜面２０の直前に噴口９が穿設されている。
【００３１】
パイプ１の先端が垂直な壁によって閉塞されている場合には、パイプ１内を通過した空気流が先端の垂直な壁に当たって逆流するので、パイプ１の先端の噴口９から粒状農薬が出難い。
【００３２】
しかるに、この第４の実施形態においては、パイプ１内を通過して先端部に到達した空気は傾斜面２０に案内されて先端の噴口９から流出する。
また、パイプ１内上部を移動して先端部に到達した粒状農薬も傾斜面２０に当たり、この傾斜面２０に案内されて先端の噴口９から落下する。
【００３３】
本発明の第５の実施形態が図７に示されている。
この第５の実施形態においては、パイプ１は少なくとも１ケの噴口９を有する短管２３を継ぎ足すことによって構成されている。
【００３４】
各短管２３の一端部には小径部２４が形成されており、この小径部２４を他の短管２３内にその一端から圧入することによってこれらは一直線に接合されて剛性を有する１本のパイプ１となる。
【００３５】
短管２３を約１０ｃｍ位の長さとすれば、１個の短管２３に噴口９、衝突板１０、誘導板１９等を少なくとも１つ形成すれば足り、従って、各短管２３を射出成形によって安価に製造できる。
【００３６】
そして、粒状農薬の散布巾に応じて継ぎ足す短管２３の数を加減することによって所望の長さのパイプ１を得ることができるとともに粒状農薬の散布が終了したはときは、各短管２３を互いに分離することによってその持ち運びや収納が容易になる。
【００３７】
なお、小径部２４を他の短管２３の一端に挿入し、他の短管２３の端部外周面に図示のようにシリコンゴムシート２５を巻回した後、その円周方向に間隔を隔てて複数個所から電熱ヒータ２６により加熱された熱針２７をシリコンゴムシート２５、他の短管２３の端部及び小径部２４を貫通させる。
そして、熱針２７の周辺の樹脂が溶融した時点でこの熱針２７を抜き取ると、熱針２７に付着した樹脂はシリコンゴムシート２５により拭い取られる
この状態で暫時放置すると、溶融した樹脂が冷却固化して小径部２４と他の短管２３とは部分的に溶融接合され、各短管２３は互いに強固に接続される。
【００３８】
このようにして短管２３を６ないし７個接続して６０〜７０ｃｍの長さのパイプブロックを構成し、３本ないし４本のパイプブロックを接続補強板を用いて互いに接続して所要の長さのパイプ１とすることができる。
このパイプ１は分解すると、６０ないし７０ｃｍの長さとなるので、輸送や格納に便利である。
【００３９】
本発明の第６の実施形態が図８及び図９に示され、図８は一部を破断して示す部分的側面図、図９は図１０のＢ−Ｂ線に沿う断面図である。
【００４０】
この第６の実施形態において、パイプ１は複数のプラスチック等からなる短管２３を継ぎ足すことによって構成され、これら短管２３は噴口９と、衝突板１０と、誘導板１９と、大径部３１を具えている。
【００４１】
そして、各短管２３の両外側面には側方に突出する突起３３が突設され、また、短管２３の下面にはその全長に亘って噴口９の両側に位置して下方に突出する一対の側板３６が突設されている。
【００４２】
しかして、一方の短管２３の一端を他方の短管２３の他端に形成された大径部３１内に圧入することによって所定数の短管２３を継ぎ足すと、所要の長さのパイプ１となり、このパイプ１の下方への撓みは一対の側板３６によって抑制される。
【００４３】
２枚のスカート２の上部を互いに離間させた状態で各スカート２の上端に巾方向に間隔を隔てて穿設された複数の穴を各突起３３に係止することによってスカート２はパイプ１の両側に容易、かつ、迅速に取り付けることができる。
また、各スカート２をパイプ１から取り外し、各間仕切１３を撓ませて各スカート２を相互に密着させた状態で折り畳めば、スカート２を容易に持ち運び、かつ、収納することができる。
【００４５】
【発明の効果】
本発明においては、背負式動力散粉機を背負い、その吐出管に基端が接続されたパイプを立姿の作業者のほぼ腰の高さに保持して幼苗の上方にほぼ水平に伸長させた状態で動力散粉機を運転しながら作業者が立姿でゆっくり歩行すると、この動力散粉機の吐出管から吐出された空気及び粒状農薬がパイプ内にその基端から流入し、先端に向かって流れる過程で遂次複数の噴口から下方に吹出される。
そして、２枚のスカートと噴口の巾方向両側に位置して上下方向に伸びる間仕切によって限界された通路を通って幼苗にその上方近傍から散布される。
しかして、立姿の作業者のほぼ腰の高さに保持されたパイプの下側にその長さ方向に沿って間隔を隔てて穿設された複数の噴口から空気と一緒に噴出した粒状農薬はそれぞれ２枚のスカートと間仕切とによって限界された通路内に入って拡散し、通路内に均等に分布した状態でスカートの下端から流出するとともにスカートの下端は幼苗の近傍まで垂下しているので、スカートの下端から流出した粒状農薬は風等によって飛散せしめられることなく、かつ、幼苗に均等に散布することができるとともに散布作業を楽な姿勢で、能率的に行うことができる。
【００４６】
そして、パイプは軽くて剛性に富む材質からなり、また、スカートは軽くてやや剛性のあるプラスチック等の薄板からなるので、パイプを楽に保持して幼苗の上方にほぼ水平に容易に伸長させることができる。
しかも、スカートは軽くてやや剛性のあるプラスチック等の薄板からなり、これら２枚のスカートの間に各噴口の巾方向両側に位置して上下方向に伸びる複数の間仕切が介装されているので、通路の断面形状及び面積は殆ど変化せず、従って、粒状農薬を幼苗に均等に散布できる。
【００４７】
少なくとも１の噴口を有する短管を継ぎ足すことによって所定の長さのパイプを構成すれば、継ぎ足す短管の数を加減することによって散布巾に対応する長さのパイプを容易に得ることができるとともに短管を分離すればその運搬、収納が容易になる。
【００４８】
パイプの内壁下面から立ち上がる衝突板を噴口に近接してその下流側に設ければ、パイプ内下面上を空気に伴われて転動する粒状農薬は遂次衝突板に衝突することによって方向を変えてその直前の噴口に入るので、粒状農薬を各噴口から確実に流出させることができる。
【００４９】
パイプの内面にその長さ方向に沿って間隔を隔ててパイプ内を移動する粒状農薬を噴口に誘導する誘導板を突設すれば、パイプ内を空気に伴われて移動する粒状農薬は誘導板によって各噴口に誘導されるので、パイプ内に送り込まれる空気の量及び風速が大きい場合であっても粒状農薬を各噴口から確実に流出させることができる。
【００５０】
パイプの先端部の上壁面を先端に向かうに従って次第に下降する傾斜面とするとともにパイプの先端部下面に噴口を設ければ、パイプの先端から空気が吹き返すのを防止できるとともにパイプの先端に到達した粒状農薬を傾斜面により案内してパイプ先端部下面に穿設された噴口から流出させることができる。
【００５１】
パイプの両外側面にその長さ方向に間隔を隔てて多数の突起を突設してこれら突起に２枚のスカートの上端を係止すれば、２枚のスカートをパイプに容易、かつ、迅速に取り付けることができ、また、２枚のスカートをパイプから取り外して容易に運搬し、かつ、収納することができる。
【図面の簡単な説明】
【図１】本発明の第１の実施形態に係わる散布装置の使用状況を示す斜視図である。
【図２】上記散布装置を部分的に破断して示す断面図である。
【図３】図２のＡ−Ａ線に沿う断面図である。
【図４】本発明の第２の実施形態を示し、（Ａ）  はパイプの部分的縦断面図、（Ｂ）  は（Ａ）  のＢ−Ｂ矢に沿う横断面図である。
【図５】本発明の第３の実施形態を示し、（Ａ）  は（Ｂ）  のＡ−Ａ矢に沿うパイプの部分的縦断面図、（Ｂ）  は（Ａ）  のＢ−Ｂ矢に沿う横断面図である。
【図６】本発明の第４の実施形態を示すパイプの部分的縦断面図である。
【図７】本発明の第５の実施形態を示すパイプの部分的縦断面図である。
【図８】本発明の第６の実施形態に係る散布装置の一部を破断して示す部分的側面図である。
【図９】図８のＢ−Ｂ線に沿う断面図である。
【符号の説明】
Ｍ  作業者
３  背負式動力散粉機
４  吐出管
１  パイプ
７  育苗箱
８  幼苗
２  スカート
１３  間仕切
【図１】
0003547673.tif 000002
【図２】
0003547673.tif 000003
【図３】
0003547673.tif 000004
【図４】
0003547673.tif 000005
【図５】
0003547673.tif 000006
【図６】
0003547673.tif 000007
【図７】
0003547673.tif 000008
【図８】
0003547673.tif 000009
【図９】
0003547673.tif 000010